(57)【要約】【課題】　簡単な回路構成によって、被駆動ユニットの動作を止めずにデータの送信を行う。【解決手段】　アナログ電子時計１０は、発振回路１１、分周回路１２、駆動信号発生回路１３、駆動回路１５、データ記憶回路１６、データ送信信号パルス発生回路１７、制御回路１８、検出回路１９およびモータコイル１４を備えている。そして、制御回路１８は、発振回路１１、分周回路１２、駆動信号発生回路１３、駆動回路１５によってモータコイル１４に駆動信号を出力して運針を行う。一方、検出回路１９で外部から呼出信号を検出した場合には、データ記憶回路１６、データ送信信号パルス発生回路１７によって、駆動信号のパルス間でデータの送信を行う。【選択図】　　　図２
2004004133.tif 000002
【特許請求の範囲】
【請求項１】
　基準発振信号を生成する発振回路と、
　該発振回路から生成する基準発振信号を分周して分周発振信号を出力する分周回路と、
　該分周回路から出力される分周発振信号に基づいて駆動パルス信号を生成する駆動信号発生回路と、
　該駆動信号発生回路から出力される駆動パルス信号によって被駆動ユニットを駆動する駆動コイルと、
　送信用のデータを記憶するデータ記憶手段と、
　前記分周回路から出力される分周発振信号と前記データ記憶手段に記憶されたデータとに基づいてデータ送信信号を生成するデータ送信信号パルス発生回路を有し、前記データ送信信号を前記駆動コイルを介して外部データ送受信装置に向けて送信する送信手段と
　を具備することを特徴とする電子時計。
【請求項２】
　請求の範囲第１項記載の電子時計において、
　前記駆動信号発生回路は、前記駆動コイルの一端と第１の電源ラインとの間に接続された第１のスイッチング素子と、前記駆動コイルの他端と前記第１の電源ラインとの間に接続された第２のスイッチング素子と、前記駆動コイルの一端と第２の電源ラインとの間に接続された第３のスイッチング素子と、前記駆動コイルの他端と前記第２の電源ラインとの間に接続された第４のスイッチング素子からなり、前記第１スイッチング素子および前記第４スイッチング素子を同時にオン状態にし、あるいは前記第２スイッチング素子及び前記第３スイッチング素子を同時にオン状態にして前記駆動コイルに電流を流して前記データ送信信号を送信することを特徴とする電子時計。
【請求項３】
　請求の範囲第１項または第２項記載の電子時計において、
　前記送信手段は、前記駆動信号発生回路により生成されたほぼ一定間隔の前記駆動パルス信号のパルス間で、前記データ送信信号を前記駆動コイルを介して外部データ送受信装置に向けて送信することを特徴とする電子時計。
【請求項４】
　請求の範囲第３項記載の電子時計において、
　前記データ送信信号は、前記駆動パルス信号に同期しており、前記駆動パルス信号出力後の所定のタイミングで外部データ送受信装置に向けて送信されることを特徴とする電子時計。
【請求項５】
　請求の範囲第１項または第２項記載の電子時計において、
　ユーザが指示入力を行うための操作入力手段を備え、
　前記送信手段は、該操作入力手段によって所定の指示入力がなされた場合に、データを前記外部データ送受信装置に向けて送信することを特徴とする電子時計。
【請求項６】
　請求の範囲第５項記載の電子時計において、
前記送信手段は、該操作入力手段によって前記所定の指示入力がなされた場合に、該データ送信モードに移行して、データを前記外部データ送受信装置に向けて送信し、データ送信モード中に該操作入力手段によってデータ送信停止に対応する所定の指示入力がなされた場合には、データ送信モードを解除してデータ送信を停止することを特徴とする電子時計。
【請求項７】
　請求の範囲第１項記載の電子時計において、
　外部データ送受信装置から出力される呼出信号を前記駆動用コイルを介して検出する呼出信号検出手段を備え、前記送信手段は、該呼出信号検出手段で呼出信号を検出した場合に、データを前記外部データ送受信装置に向けて送信することを特徴とする電子時計。
【請求項８】
　請求の範囲第１項記載の電子時計において、
　前記被駆動ユニットは、アナログ指針により時計動作を行うアナログ時計ユニットであることを特徴とする電子時計。
【請求項９】
　請求の範囲第１項記載の電子時計において、
　前記データ記憶手段に記憶されるデータは、電子時計の動作情報データであることを特徴とする電子時計。
【請求項１０】
　請求の範囲第１項記載の電子時計において、
　前記データ記憶手段に記憶されるデータは、被駆動ユニット固有の識別データ、ユーザの個人データのいずれかであることを特徴とする電子時計。
【請求項１１】
　基準発振信号を生成する発振回路と、該発振回路から生成する基準発振信号を分周して分周発振信号を出力する分周回路と、該分周回路から出力される分周発振信号に基づいて駆動パルス信号を生成する駆動信号発生回路と、該駆動信号発生回路から出力される駆動パルス信号によって被駆動ユニットを駆動する駆動コイルと、送信用のデータを記憶するデータ記憶ユニットと、を備えた電子時計のデータ送信方法において、
　前記分周回路から出力される分周発振信号と前記データ記憶ユニットに記憶されたデータとに基づいてデータ送信信号を生成し、前記駆動信号発生回路により生成されたほぼ一定間隔の前記駆動パルス信号のパルス間で、前記データ送信信号を前記駆動コイルを介して外部データ送受信装置に向けて送信することを特徴とする電子時計のデータ送信方法。
【発明の詳細な説明】
【技術分野】
【０００１】
　本発明は、例えばアナログ時計等の時計装置に用いて好適な電子時計及び電子時計のデータ送信方法に関する。
【背景技術】
【０００２】
　従来、電子時計としては、駆動用モータコイル（駆動用コイル）に駆動信号を印加することにより、指針を運針するアナログ電子時計が広く知られている。また、この種のアナログ時計としては、運針に用いる駆動用モータコイルをデータ受信用のコイルと兼用することにより、該駆動用モータコイルを介して外部の標準時間発生装置から送信される標準時間信号を受信し、時計ユニットの歩度調整を行っていた（例えば、実公昭５８−７１９０号公報等）。
【０００３】
　一方、駆動用モータコイルをデータ送信用のコイルと兼用するアナログ時計も知られている（特願平６−２５８４６４号公報等）。そして、このアナログ時計では、指針の動きを止めてデータの送信を行い、送信終了後に指針を早送りして修正するようにしている。
【０００４】
　ところで、従来技術のうち、時計側のデータを外部に送信するものでは、データを送信する間、指針の動きを止めて駆動用モータコイルを送信用のコイルとして使用している。このため、時計側には、データを送信しているか否かを判定し、送信モードになっている間に発生する駆動信号のパルス数を記憶する時刻復帰回路を設けなくてはならず、時計側の回路構成が複雑になるという問題がある。
【発明の開示】
【発明が解決しようとする課題】
【０００５】
　本発明は、上述した事情に鑑みてなされたもので、本発明は簡単な回路構成によって、データを送信することのできる電子時計及び電子時計のデータ送信方法を提供することを目的としている。
【課題を解決するための手段】
【０００６】
　本発明の第１の態様は、基準発振信号を生成する発振回路と、該発振回路から生成する基準発振信号を分周して分周発振信号を出力する分周回路と、該分周回路から出力される分周発振信号に基づいて駆動パルス信号を生成する駆動信号発生回路と、該駆動信号発生回路から出力される駆動パルス信号によって被駆動ユニットを駆動する駆動コイルと、送信用のデータを記憶するデータ記憶ユニットと、分周回路から出力される分周発振信号とデータ記憶ユニットに記憶されたデータとに基づいてデータ送信信号を生成するデータ送信信号パルス発生回路を有し、データ送信信号を駆動コイルを介して外部データ送受信装置に向けて送信する送信ユニットとを具備することを特徴としている。
【０００７】
　発明の第２の態様は、本発明の第１の態様において、駆動信号発生回路は、駆動コイルの一端と第１の電源ラインとの間に接続された第１のスイッチング素子と、駆動コイルの他端と第１の電源ラインとの間に接続された第２のスイッチング素子と、駆動コイルの一端と第２の電源ラインとの間に接続された第３のスイッチング素子と、駆動コイルの他端と第２の電源ラインとの間に接続された第４のスイッチング素子からなり、第１スイッチング素子および第４スイッチング素子を同時にオン状態にし、あるいは第２スイッチング素子及び第３スイッチング素子を同時にオン状態にして駆動コイルに電流を流してデータ送信信号を送信することを特徴としている。
【０００８】
　発明の第３の態様は、本発明の第１の態様又は第２の態様において、送信ユニットは、駆動信号発生回路により生成されたほぼ一定間隔の駆動パルス信号のパルス間で、データ送信信号を駆動コイルを介して外部データ送受信装置に向けて送信することを特徴としている。
【０００９】
　発明の第４の態様は、本発明の第３の態様において、データ送信信号は、駆動パルス信号に同期しており、駆動パルス信号出力後の所定のタイミングで外部データ送受信装置に向けて送信されることを特徴としている。
【００１０】
　本発明の第５の態様は、本発明の第１の態様または第２の態様において、ユーザが指示入力を行うための操作入力ユニットを備え、送信ユニットは、該操作入力ユニットによって所定の指示入力がなされた場合に、データを外部データ送受信装置に向けて送信することを特徴としている。
【００１１】
　本発明の第６の態様は、本発明の第５の態様において、送信ユニットは、該操作入力ユニットによって所定の指示入力がなされた場合に、該データ送信モードに移行して、データを外部データ送受信装置に向けて送信し、データ送信モード中に該操作入力ユニットによってデータ送信停止に対応する所定の指示入力がなされた場合には、データ送信モードを解除してデータ送信を停止することを特徴としている。
【００１２】
　本発明の第７の態様は、本発明の第１の態様において、外部データ送受信装置から出力される呼出信号を駆動用コイルを介して検出する呼出信号検出ユニットを備え、送信ユニットは、該呼出信号検出ユニットで呼出信号を検出した場合に、データを外部データ送受信装置に向けて送信することを特徴としている。
【００１３】
　本発明の第８の態様は、本発明の第１の態様において、被駆動ユニットは、アナログ指針により時計動作を行うアナログ時計ユニットであることを特徴としている。
【００１４】
　本発明の第９の態様は、本発明の第１の態様において、データ記憶ユニットに記憶されるデータは、電子時計の動作情報データであることを特徴としている。
【００１５】
　本発明の第１０の態様は、本発明の第１の態様において、データ記憶ユニットに記憶されるデータは、被駆動ユニット固有の識別データ、ユーザの個人データのいずれかであることを特徴としている。
【００１６】
　本発明の第１１の態様は、基準発振信号を生成する発振回路と、該発振回路から生成する基準発振信号を分周して分周発振信号を出力する分周回路と、該分周回路から出力される分周発振信号に基づいて駆動パルス信号を生成する駆動信号発生回路と、該駆動信号発生回路から出力される駆動パルス信号によって被駆動ユニットを駆動する駆動コイルと、送信用のデータを記憶するデータ記憶ユニットと、を備えた電子時計のデータ送信方法において、分周回路から出力される分周発振信号とデータ記憶ユニットに記憶されたデータとに基づいてデータ送信信号を生成し、駆動信号発生回路により生成されたほぼ一定間隔の駆動パルス信号のパルス間で、データ送信信号を駆動コイルを介して外部データ送受信装置に向けて送信することを特徴としている。
【発明を実施するための最良の形態】
【００１７】
　次に本発明の好適な実施形態について図１ないし図７を参照して説明する。
　まず、本実施の形態では、図１に示すように、電子機器としてのアナログ電子時計１０と、この電子時計１０から出力されるデータを受信するデータ送受信装置３０とを例示して説明するが、本発明はこれらに限定する趣旨ではなく、被駆動ユニットを駆動するための駆動用コイル（アナログ電子時計における運針用駆動モータコイルに相当）を有する電子機器と駆動用モータコイルを介して通信を行い、電子機器からのデータを受信するデータ送受信装置であれば、本発明の適用が可能である。
【００１８】
［１］　アナログ電子時計の概要構成
　まず、アナログ電子時計の概要構成について説明する。
　図２にアナログ電子時計の概要構成ブロック図を示す。
　アナログ電子時計１０は、基準発振信号を生成する発振回路１１と、基準発振信号を分周して分周発振信号を出力する分周回路１２と、分周発振信号に基づいて駆動パルス信号を生成する駆動信号発生回路１３と、駆動パルス信号を指針駆動用のモータコイル１４に出力する駆動回路１５とを具備している。
【００１９】
　また、アナログ電子時計１０は、データ送受信装置３０に送信される送信データを記憶する、例えばＥＥＰＲＯＭ、フラッシュメモリ、マスクＲＯＭ等の不揮発性メモリや、ＳＲＡＭ等のデータ記憶回路１６と、分周回路１２から出力される分周発振信号と該データ記憶回路１６に記憶されたデータとに基づいてパルス状のデータ送信信号を生成するデータ送信信号パルス発生回路１７と、後述する検出回路１９の動作状態を制御すべく制御信号ＳＰを検出回路１９に出力するとともに、検出回路１９からの検出信号を受けて、駆動信号発生回路１３とデータ送信信号パルス発生回路１７との出力を制御する制御回路１８とを備えて構成されている。
【００２０】
　さらに、アナログ電子時計１０は、制御信号ＳＰにもとづいて動作／非動作状態が制御され、動作時にはモータコイル１４を介してデータ送受信装置３０から送信される呼出信号を検出したときに、検出信号を制御回路１８に向けて出力する検出回路１９を備えて構成されている。
　なお、前記データ記憶回路１６に記憶される送信データとしては、電子時計１０が有する固有の識別番号（以下、ＩＤという）等である。
【００２１】
　次に、図３を参照しつつ、電子時計１０内の駆動回路１５と検出回路１９との構成について説明する。
　Ｐ1、Ｐ2はＰ形チャネルの電界効果型トランジスタ（以下、ＦＥＴという）、Ｎ1、Ｎ2はＮ形チャネルのＦＥＴをそれぞれ示し、ＦＥＴＰ1とＦＥＴＰ2との接続点が電圧Ｖddとなってアースに接続されると共に基準電圧源２１を介してコンパレータ２２の非反転入力端子に接続され、ＦＥＴＮ1とＦＥＴＮ2との接続点は電圧Ｖssに接続されている。また、ＦＥＴＰ1とＦＥＴＮ1との接続点となる出力端子０1はモータコイル１４の一端に接続され、ＦＥＴＰ2とＦＥＴＮ2との接続点となる出力端子Ｏ2はモータコイル１４の他端とコンパレータ２１の反転入力端子に接続されている。これにより、ＦＥＴＰ1、Ｐ2、Ｎ1、Ｎ2は、ブリッジ回路を形成している。さらに、コンパレータ２２の出力端子は制御回路１８に接続されている。
【００２２】
　ここで、Ｐ形チャネルのＦＥＴは、ゲートに“Ｌ”となる信号が入力されるとドレイン，ソース間を閉成してオン状態とし、“Ｈ”となる信号が入力されるとドレイン，ソース間を開成してオフ状態とする。一方、Ｎ形チャネルのＦＥＴは、Ｐ形チャネルのＦＥＴの動作とは逆に、ゲートに“Ｌ”となる信号が入力されるとドレイン，ソース間を開成してオフ状態とし、“Ｈ”となる信号が入力されるとドレイン，ソース間を閉成してオン状態とする。
　そして、この回路では、ＦＥＴＰ1とＦＥＴＮ2、ＦＥＴＰ2とＦＥＴＮ1という組み合わせでＦＥＴを閉成させることにより、モータコイル１４に電流を流すようになっている。
　即ち、指針を動かす場合には、駆動信号発生回路１３から駆動パルス信号が出力されてＦＥＴＰ2とＦＥＴＮ1とをオン状態に設定し、図３の矢印Ａのように電流を流す。一方、データ送信信号パルス発生回路１７から出力されるデータ送信信号を、モータコイル１４を介して外部に送信する場合には、ＦＥＴＰ1とＦＥＴＮ2とをオン状態にして矢印Ｂのように電流を流すようになっている。
　なお、データ送信時にデータ送信信号によってモータが駆動しないために実効電力を低くする必要がある。このため、データ送信信号のパルス幅は、指針を動かすモータ駆動の駆動パルス信号のパルス幅よりも短く設定されている。
【００２３】
　また、コンパレータ２２は、データ送受信装置３０から送信される呼出信号を検出する検出回路１９として構成されている。そして、該コンパレータ２２は、呼出信号をモータコイル１４が受けて、該モータコイル１４に誘起される誘起電圧を読込み、この誘起電圧と基準電圧２１とを比較することによって、呼出信号が有る場合に検出信号を制御回路１８に向けて出力するものである。なお、基準電圧２１を変えることにより、コンパレータ２２による検出レベルは任意に設定することができる。この場合において、検出回路１９の電源供給経路には、コンパレータ２２の電源を遮断すべく、制御信号ＳＰを反転するインバータＩＮＶと、インバータＩＮＶにより反転された制御信号ＳＰによりオン／オフ制御されるＦＥＴＰ10が設けられており、データ受信時にＦＥＴＰ2がオフ状態となり、出力端子Ｏ2がハイインピーダンス状態になった場合にコンパレータ２２に電源を供給するようになっている。
【００２４】
［２］　データ送受信装置の概要構成
　次にデータ送受信装置の概要構成について、図４を参照しつつ説明する。
　データ送受信装置３０は、データの送信・受信の処理行う制御回路３１と、該制御回路３１に接続され電子時計１０に対する受信データ，送信データを記憶するデータ記憶回路３２と、該データ記憶回路３２に記憶された受信データと図示しない発振回路から出力される基準発振信号とを受けてデータ信号を生成するデータ信号発生回路３３と、該データ信号発生回路３３から出力されるデータ信号を送受信コイル３４に向けて出力する駆動回路３５と、送受信コイル３４を介して受信される信号を検出する検出回路３６と、制御回路３１が出力した切換制御信号ＳSWに基づいて送受信コイル３４の送信／受信を切換えるためのスイッチ３７と、を具備している。ここで、スイッチ３７としては、アナログスイッチやリレーが用いられている。
【００２５】
［３］　実施形態の動作
　次に、図５および図６を参照して実施形態の動作について説明する。
　まず、通常の動作モードでは、前述した如く、ＦＥＴＰ2とＦＥＴＮ1とがオン状態になったときに、指針を運針させる駆動パルス信号がモータコイル１４に所定時間（約１秒）毎に印加される（ステップＳＰ１〜３）。また、この駆動パルス信号のパルスが立ち下がる時刻ｔ0から次のパルスが立ち上がる時刻ｔ00までのパルス間隔は一定時間Ｔとなり、この時間Ｔはほぼ１秒に設定されている。
【００２６】
　一方、駆動パルス信号が発生していない状態では、ＦＥＴＰ1とＦＥＴＰ2とはオン状態にあり、モータコイル１４の出力端子Ｏ1，Ｏ2間の電位は電圧Ｖddに固定されている。
　駆動パルス信号のパルスが立ち下がる時刻ｔ0からある所定時間が経過した時刻ｔ1（｜ｔ０−ｔ1｜＜Ｔ）において、ＦＥＴＰ2はオフされ、出力端子Ｏ2は電気的に浮いた状態（ハイインピーダンス状態）となる。これと同時にＦＥＴＰ10はオン状態となり、コンパレータ２２に電源が供給され、コンパレータ２２は動作状態となる。
　そして、電子時計１０は受信モードに切換わり、モータコイル１４は、外部からの呼出信号を受信可能な状態となる（ステップＳＰ１）。そしてその後所定の時間が経過すると再び通常の動作モードとなる。
　同様に、ＦＥＴＰ2を適宜の時刻ｔ3でオフすることによって電子時計１０は再び受信モードに切換わる。この受信モードへの移行は、駆動パルス信号が立ち上がった時刻ｔ0から駆動パルス信号の次のパルスが立ち上がる時刻ｔ00までに数回（図５では２回）繰り返される。
【００２７】
　時刻ｔ3において、電子時計１０が受信モードに移行し、モータコイル１４が呼出信号を受信可能な状態となる。これと同時にＦＥＴＰ10はオン状態となり、コンパレータ２２に電源が供給され、コンパレータ２２は動作状態となる。
　そして、データ送受信装置３０から予め定められた呼出信号が電子時計１０に送られると、モータコイル１４は呼出信号を受信し、モータコイル１４の誘起電圧がコンパレータ２２の反転入力端子に出力される。
【００２８】
　一方、コンパレータ２２では、入力される誘起電圧と基準電圧２１とを比較し、電子時計１０の制御回路１８は、予め定めた所定のサンプリングタイミングでコンパレータ２２の出力信号のサンプリングを行い、呼出信号が受信された否かを判定する（ステップＳＰ２）。
　ここで、制御回路１８において呼出信号が受信されたと判定した場合には、制御回路１８は、ＦＥＴＰ1とＦＥＴＮ2とをオン状態にするデータ送信モードに切換える（ステップＳＰ４）。
　このデータ送信モードでは、送信データがデータ記憶回路１６から読み出される（ステップＳＰ５）。さらに、制御回路１８は、時刻ｔ4で、ＦＥＴＰ1、ＦＥＴＮ2とをオン状態にして、ＦＥＴＰ1→モータコイル１４→ＦＥＴＮ2（図３中の矢印Ｂ）という経路で電流を流す。
【００２９】
　そして電子時計１０は、駆動パルス信号よりも細かい所定周波数のデータ送信信号をモータコイル１４を介して外部のデータ送受信装置３０に向けて送信する（ステップＳＰ６）。
　ここで、データ送受信装置３０における受信動作について図７を参照して説明する。
　電子時計１０が送信しようとするデータ送信信号が図７（ａ）に示すようなものであった場合、データ送受信装置３０の送受信コイル３４における受信波形は図７（ｂ）に示すようなものとなる。
【００３０】
　そこで、検出回路３６は、所定の検出レベルと受信波形レベルとを比較し、波形整形をおこない、図７（ｃ）に示すような出力波形が制御回路３１に出力される。
　制御回路３１は、検出回路３６の出力波形を図７（ｄ）に示すような所定のサンプリングタイミング信号に対応するサンプリングタイミングでサンプリングし、受信データ（“１１０１０１１“）を得ることとなる。
　一方、電子時計１０は、データ送信を終了した後は、ステップＳＰ３に戻って一定時間Ｔ毎に駆動パルス信号をモータコイル１４に出力する通常の動作モードに自動的に復帰する。
【００３１】
［４］　実施形態の効果
　以上の上述したように、本実施の形態によれば、データ送受信装置３０からの呼出信号を受けてアナログ電子時計のデータ記憶回路１６に記憶された送信データを、運針のためのモータコイル１４および駆動回路１５を介して送信している。従って、新たにアンテナなどを増設することなく、電子時計のデータ記憶回路に記憶されたデータを外部に送信することができる。
【００３２】
　また、所定時間毎に印加されるモータ駆動パルスの出力タイミング間にデータ送受信を行っているため、時計の運針動作を止めることなくデータの送受信を行うことができる。
従って、従来、電子時計に内蔵していた時刻復帰回路等を省略でき、簡単な構成でデータ送信を実現することができる。しかも、データの送信に当たって新たにアンテナ等の増設も必要なく、今までの電子時計１０の構成によって実現することが可能である。
【００３３】
　また、データ記憶回路１６に記憶された送信データを、電子時計１０の固有ＩＤとした場合には、該電子時計１０に割り振られたＩＤ番号を当該電子時計１０を分解することなく外部から簡単に識別でき、流通段階での製品管理や偽物であるか否かを容易に判定することもできる。
【００３４】
　さらに、送信データを、定期券の乗車区間、期限等の個人データとした場合には、データ送受信装置３０を改札口に設置し、該データ送受信装置３０に判定手段を設ける。これにより、ユーザは、定期券を時計と別個に携帯する必要も、改札口を通る度に取り出す必要もなくなる。
　また、スキー場のリフト券を個人データとしても同様の効果を奏することができる。
　さらに、送信用のデータは、電子機器の動作状態情報でもよく、この場合には、例えば、内部の各種カウンタのカウンタ値情報や、動作負荷情報当を送信することで、外部からケースカバーを開けることなく動作状態をリアルタイムで把握するに役立てることができる。
【００３５】
［５］　実施形態の変形例
［５．１］　第１変形例
　次に図８を参照しつつ実施形態の第１変形例について説明する。
　この第１変形例では、アナログ電子時計４０のリュウズを操作入力手段４１として構成したものである。
　この電子時計４０では、ユーザがリュウズ（操作入力手段４１）を操作することによって、外部からの呼出信号を受信することなく、データの送信を行うことができる。この場合、実施の形態による電子時計１０に比べて検出回路１９の構成を省略することができる反面、リュウズ用のスイッチ（図示せず）が必要となる。
【００３６】
［５．２］　第２変形例
　なお、上記実施形態の説明では、呼出信号検出手段にコンパレータ２２を用いたが、本発明はこれに限らず、インバータ回路でもよく、この場合には、回路構成も単純になり消費電流も低減できるが、その反面、検出電圧の閾値はほぼ（Ｖdd-Ｖss）／２となり、検出レベルの設定が固定されてしまう。
【００３７】
［５．３］　第３変形例
　　また、データの送信は、１回のみ行った場合について述べたが、複数回行って、信頼性を高めるようにしてもよいことは勿論である。
【００３８】
［５．４］　第４変形例
　また、上記実施形態の説明では、データ送信を行った後は、通常の動作モードに自動的に復帰するようにしたが、これに限らず、１度送信モードになるとこの送信モードを続行し、駆動パルス信号を駆動回路１５に出力するのを止めて、データ送信を続けるようにしてもよい。この場合、通常の動作に復帰するには、ボタンやリュウズを外部から操作して行うようにすればよい。
【００３９】
［５．５］　第５変形例
　上記実施形態の説明では、電子時計１０の検出回路１９は、出力端子Ｏ2がハイインピーダンス状態の場合にのみ信号受信（信号検出）を行っていたが、出力端子Ｏ1、Ｏ2を交互にハイインピーダンス状態として信号受信（信号検出）を行うように構成することも可能である。
【００４０】
［５．６］　第６変形例
　さらに、上記実施形態の説明では、アナログ電子時計を例に挙げて説明したが、これに限らず、例えば、電動歯ブラシ、電動ひげ剃り等の駆動用コイルを有する各種電子機器にも適用可能である。
【００４１】
［６］　本発明の他の態様
［６．１］　本発明の第１の他の態様
　本発明の第１の他の態様は、基準発振信号を生成する発振回路と、該発振回路から生成する基準発振信号を分周して分周発振信号を出力する分周回路と、該分周回路から出力される分周発振信号に基づいて駆動パルス信号を生成する駆動信号発生回路と、該駆動信号発生回路から出力される駆動パルス信号によって被駆動ユニットを駆動する駆動コイルと、送信用のデータを記憶するデータ記憶ユニットと、を備えた電子時計のデータ送信方法において、ユーザが指令入力を行う操作入力工程を備え、前記指令入力に伴って、前記分周回路から出力される分周発振信号と前記データ記憶ユニットに記憶されたデータとに基づいてデータ送信信号を生成し、前記駆動信号発生回路により生成されたほぼ一定間隔の前記駆動パルス信号のパルス間で、前記データ送信信号を前記駆動コイルを介して外部データ送受信装置に向けて送信するように構成する。
【００４２】
［６．２］　本発明の第２の他の態様
　本発明の第２の他の態様は、基準発振信号を生成する発振回路と、該発振回路から生成する基準発振信号を分周して分周発振信号を出力する分周回路と、該分周回路から出力される分周発振信号に基づいて駆動パルス信号を生成する駆動信号発生回路と、該駆動信号発生回路から出力される駆動パルス信号によって被駆動ユニットを駆動する駆動コイルと、送信用のデータを記憶するデータ記憶ユニットと、を備えた電子時計のデータ送信方法において、外部データ送受信装置から出力される呼出信号を前記駆動コイルを介して検出する呼出信号検出工程を備え、前記呼出信号を検出することにより前記分周回路から出力される分周発振信号と前記データ記憶ユニットに記憶されたデータとに基づいてデータ送信信号を生成し、前記駆動信号発生回路により生成されたほぼ一定間隔の前記駆動パルス信号のパルス間で、前記データ送信信号を前記駆動コイルを介して外部データ送受信装置に向けて送信するように構成する。
【図面の簡単な説明】
【００４３】
【図１】実施形態によるアナログ電子時計とデータ送受信装置との関係を示すブロック図である。
【図２】実施形態のアナログ電子時計の概要構成を示すブロック図である。
【図３】駆動回路と検出回路を示す回路構成図である。
【図４】データ送受信装置の概要構成を示しブロック図である。
【図５】実施形態の動作を示すタイミングチャートである。
【図６】実施形態の処理動作を示すフローチャートである。
【図７】実施形態のデータ送受信装置の動作説明図である。
【図８】第１変形例によるアナログ電子時計の概要構成を示すブロック図である。
【符号の説明】
【００４４】
　１０，４０……アナログ電子時計
　１１…発振回路
　１２……分周回路
　１３……駆動信号発生回路
　１４……モータコイル
　１５……駆動回路
　１６……データ記憶回路
　１７……データ送信信号パルス発生回路
　１８……制御回路
　１９……検出回路
　３０……データ送受信装置
　３４……送受信コイル
　４１……操作入力手段（リュウズ）
　Ｐ1，Ｐ2，Ｎ1，Ｎ2……電界効果型トランジスタ（ＦＥＴ）
【図１】
2004004133.tif 000003
【図２】
2004004133.tif 000004
【図３】
2004004133.tif 000005
【図４】
2004004133.tif 000006
【図５】
2004004133.tif 000007
【図６】
2004004133.tif 000008
【図７】
2004004133.tif 000009
【図８】
2004004133.tif 000010